Podtech/llm-jp-corpus-v4-ja_patent huggingface dataset:
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
構造式ＶＩ
【化１】
2009542815.tif 000001
（ＶＩ）
［式中、Ｒ１およびＲ２は独立して、−（ＣＨ２）ｓＧ１Ｇ２Ｇ３、アシル、アシルアルキル、カルボキシアルキル、シアノアルキル、アルコキシ、アルコキシアルキル、アミドアルキル、アミノ、アルキル、アルキルアルコキシ、アミノアルキル、アルケニル、アルキニル、カルボキシル、カルボキシアルキル、エーテル、ヘテロアルキル、ハロアルキル、シクロアルキル、シクロアルキルアルキル、ヘテロシクロアルキル、ヘテロシクロアルキルアルキル、アラルキル、アリール、グアニジン、ヘテロアリール、ヘテロアラルキルおよびヒドロキシアルキルからなる群から選択され、それらのいずれも任意に置換されてよく、
ｓは１〜８であり、
Ｇ１は、アルコキシ、アミノ、アミド、カルボニル、ヒドロキシ、エーテル、アミノ酸からなる群から選択されるか、またはなくてもよく、
Ｇ２は、アルキル、アルコキシ、アミノ、アリール、ハロ、ハロアルキル、ヘテロシクロアルキル、ヘテロアリール、カルボキシルアルキルアミノ、グアニジン、アミノ酸からなる群から選択されるか、またはなくてもよく、それらのいずれも任意に置換されてよく、
Ｇ３は、アルキル、アルコキシ、アミノ、ヒドロキシ、エーテル、カルボキシル、ヒドロキサム酸、アミノ酸、ホスホン酸塩、ホスホアミドからなる群から選択され、またはなくてもよく、それらのいずれも任意に置換されてよく、
Ｒ２０およびＲ２４は独立して、水素、ハロゲン、ヒドロキシル、低級アルキル、低級アルコキシ、低級ハロアルキル、低級ハロアルコキシ、アミノ、およびカルボキシルからなる群から選択される］
の化合物、またはその塩、エステル、もしくはプロドラッグ。
【請求項２】
Ｒ２０およびＲ２４は独立して、水素、ハロゲン、および低級アルキルからなる群から選択される、請求項１に記載の化合物。
【請求項３】
Ｒ２は低級アルキルである、請求項２に記載の化合物。
【請求項４】
式中、
Ｒ１は、−（ＣＨ２）ｓＧ１Ｇ２Ｇ３、低級アルキル、シクロアルキル、シクロアルキルアルキル、およびヘテロシクロアルキルからなる群から選択され、それらのいずれも任意に置換されてよく、
ｓは１〜８であり、
Ｇ１はアミノ、アミドからなる群から選択されるか、またはなくてもよく、
Ｇ２は、アルコキシ、アリール、ハロ、ヘテロシクロアルキルからなる群から選択されるか、またはなくてもよく、それらのいずれも任意に置換されてよく、
Ｇ３は、アルキル、カルボキシルからなる群から選択されるか、またはなくてもよく、それらのいずれも任意に置換されてよい、請求項３に記載の化合物。
【請求項５】
Ｒ２は、メチルである、請求項４に記載の化合物。
【請求項６】
式中、
ｓは６であり、
Ｇ１は、存在せず、
Ｇ２は、任意に置換されていてもよいヘテロシクロアルキルであり、
Ｇ３は、存在しない、請求項５に記載の化合物。
【請求項７】
８−（シクロペンチルオキシ）−４−（３，５−ジクロロピリジン−４−イルアミノ）−７−メトキシキノリン−２（１Ｈ）−オン、
８−（シクロペンチルオキシ）−４−（３，５−ジクロロピリジン−４−イルオキシ）−７−メトキシキノリン−２（１Ｈ）−オン、
８−（シクロプロピルメトキシ）−４−（３，５−ジクロロピリジン−４−イルアミノ）−７−メトキシキノリン−２（１Ｈ）−オン、
８−（シクロペンチルオキシ）−４−（３，５−ジクロロピリジン−４−イルアミノ）−７−メトキシ−１−メチルキノリン−２（１Ｈ）−オン、
８−（シクロペンチルオキシ）−４−（３，５−ジメチルピリジン−４−イルアミノ）−７−メトキシキノリン−２（１Ｈ）−オン、
１，３−ジブロモ−８−（シクロペンチルオキシ）−４−（３，５−ジクロロピリジン−４−イルアミノ）−７−メトキシキノリン−２（１Ｈ）−オン、
３−ブロモ−８−（シクロペンチルオキシ）−４−（３，５−ジクロロピリジン−４−イルアミノ）−７−メトキシキノリン−２（１Ｈ）−オン、
８−（シクロプロピルメトキシ）−４−（３，５−ジメチルピリジン−４−イルアミノ）−７−メトキシキノリン−２（１Ｈ）−オン、
８−（シクロペンチルオキシ）−４−（３，５−ジクロロピリジン−４−イルアミノ）−１−（２−ヒドロキシエチル）−７−メトキシキノリン−２（１Ｈ）−オン、
８−（シクロペンチルオキシ）−４−（３，５−ジクロロピリジン−４−イルアミノ）−１−（２−（ジメチルアミノ）エチル）−７−メトキシキノリン−２（１Ｈ）−オン、
６−（４−（３，５−ジクロロピリジン−４−イルアミノ）−７−メトキシ−２−オキソ−１，２−ジヒドロキノリン−８−イルオキシ）ヘキサン酸、
４−（３，５−ジメチルピリジン−４−イルアミノ）−８−イソブトキシ−７−メトキシキノリン−２（１Ｈ）−オン、
４−（３，５−ジクロロピリジン−４−イルアミノ）−８−（４−（ジメチルアミノ）ブトキシ）−７−メトキシキノリン−２（１Ｈ）−オン、および
４−（３，５−ジクロロピリジン−４−イルアミノ）−８−（５−（ジメチルアミノ）ペンチルオキシ）−７−メトキシキノリン−２（１Ｈ）−オン
からなる群から選択される化合物。
【請求項８】
薬学的に許容できる担体とともに請求項１〜７いずれかに記載の化合物を含む医薬組成物。
【請求項９】
ＰＤＥ４の阻害により改善される疾病または症状の予防または治療用である、請求項８記載の医薬組成物。
【請求項１０】
前記ＰＤＥ４は、ＰＤＥ４Ｂサブタイプである、請求項９記載の医薬組成物。
【請求項１１】
対象におけるＰＤＥ４媒介疾病を処置するための請求項８記載の医薬組成物。
【請求項１２】
前記ＰＤＥ４媒介疾病が眼疾患である、請求項１１に記載の医薬組成物。
【請求項１３】
前記眼疾患がドライアイ、緑内症、角膜血管新生、視神経炎、シェーグレン症候群、網膜神経節細胞の変性、眼虚血、網膜炎、網膜症、ブドウ膜炎、光恐怖症、並びに眼組織への急性損傷に関連する炎症および疼痛からなる群から選択される、請求項１２に記載の医薬組成物。
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
（ａ）１，１，１，２，２，３−ヘキサフルオロプロパンおよび１，１，１，２，３，３−ヘキサフルオロプロパンからなる群から選択される少なくとも１つのヘキサフルオロプロパンを、オキシフッ化クロム触媒と、リアクタにおいて接触させて、Ｚ−ＨＦＣ−１２２５ｙｅおよびＥ−ＨＦＣ−１２２５ｙｅを含む１，２，３，３，３−ペンタフルオロプロペンを含む生成混合物を得る工程と、（ｂ）該１，２，３，３，３−ペンタフルオロプロペンを、該生成混合物から回収する工程とを含む方法。
【請求項２】
（ａ）１，１，１，３，３−ペンタフルオロプロパンを、オキシフッ化クロム触媒と、リアクタにおいて接触させて、１，３，３，３−テトラフルオロプロペンを含む生成混合物を得る工程と、（ｂ）該１，３，３，３−テトラフルオロプロペンを、該生成混合物から回収する工程とを含む方法。
【請求項３】
（ａ）１，１，１，２，２−ペンタフルオロプロパンを、オキシフッ化クロム触媒と、リアクタにおいて接触させて、２，３，３，３−テトラフルオロプロペンを含む生成混合物を得る工程と、（ｂ）該２，３，３，３−テトラフルオロプロペンを、該生成混合物から回収する工程とを含む方法。
【請求項４】
接触が、２００℃〜５００℃の温度で実施される請求項１〜３のいずれかに記載の方法。
【請求項５】
リアクタに、酸素を含むガスも供給される請求項１〜３のいずれかに記載の方法。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
導電性のセラミック層を製作する方法において、
前記層はパルススパッタプロセスによって製作されることを特徴とする方法。
【請求項２】
前記層はペロブスカイト型構造を有することを特徴とする請求項１記載の方法。
【請求項３】
酸化物セラミックのスパッタターゲットが使用されることを特徴とする請求項１又は２記載の方法。
【請求項４】
スパッタターゲットの元素の濃度は、前記層の各元素の濃度と最大５％だけ相違していることを特徴とする請求項１から３の１つに記載の方法。
【請求項５】
前記層は１〜１０００ｋＨｚのパルス電圧の周波数で析出されることを特徴とする請求項１から４の１つに記載の方法。
【請求項６】
前記層は１０〜５００ｋＨｚのパルス電圧の周波数で析出されることを特徴とする請求項５記載の方法。
【請求項７】
前記層は１００〜３５０ｋＨｚのパルス電圧の周波数で析出されることを特徴とする請求項６記載の方法。
【請求項８】
前記層は＋１００〜−１０００Ｖの電圧実効値で析出されることを特徴とする請求項１から７の１つに記載の方法。
【請求項９】
前記層は＋１００〜−５００Ｖの電圧実効値で析出されることを特徴とする請求項８記載の方法。
【請求項１０】
前記層は１〜３０Ｗ／ｃｍ2の平均出力密度で析出されることを特徴とする請求項１か
ら９の１つに記載の方法。
【請求項１１】
プロセスガスとして１×１０-4〜９×１０-2ｈＰａの圧力の不活性ガスが使用されることを特徴とする請求項１から１０の１つに記載の方法。
【請求項１２】
前記層は構造式ＡＢＯ2を持つペロブスカイト型構造を有し、ＡはＬａ、Ｂａ、Ｓｒ、Ｃａの群に属する１つ又は複数の元素を含み、ＢはＣｒ、Ｍｇ、Ａｌ、Ｍｎ、Ｆｅ、Ｃｏ、Ｎｉ、Ｃｕ、Ｚｎの群に属する１つ又は複数の元素を含むことを特徴とする請求項１から１１の１つに記載の方法。
【請求項１３】
０．１〜５μｍの厚みを持つ層が析出されることを特徴とする請求項１から１２の１つに記載の方法。
【請求項１４】
理論密度の９９％超の密度を持つ層が析出されることを特徴とする請求項１から１３の１つに記載の方法。
【請求項１５】
０．５重量％未満の不純物含有率を持つ層が析出されることを特徴とする請求項１から１４の１つに記載の方法。
【請求項１６】
前記層はSOFC燃料電池で使用されるコンポーネントに析出されることを特徴とする請求項１から１５の１つに記載の方法。
【請求項１７】
前記層は多孔性の基板に析出されることを特徴とする請求項１６記載の方法。
【請求項１８】
１５〜３５重量％のＣｒと、Ｔｉ、Ｚｒ、Ｈｆ、Ｍｎ、Ｙ、Ｓｃ、希土類金属の群の１つ又は複数の元素０．０１〜２重量％と、０〜１０重量％のＭｏおよび／又はＡｌと、Ｎｉ、Ｗ、Ｎｂ、Ｔａの群の１つ又は複数の金属０〜５重量％と、０．１〜１重量％のＯと、残りのＦｅおよび不純物とを含むＦｅベース合金の相互に焼結された粒子からなり、理論密度の４０〜７０％の密度と、開放気孔の構造とを有する多孔性の支持体基板において、
前記支持体基板の上に厚さ０．１〜５μｍの導電性のセラミックPVD層が析出されていることを特徴とする支持体基板。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
８０％〜１００％の８〜１２個の炭素を有する飽和脂肪酸及び１２〜１８個の炭素を有する一価不飽和脂肪酸、
５％〜８０％のカプリル酸（Ｃ８：０）及びカプリン酸（Ｃ１０：０）、並びに
２０％未満のラウリン酸（Ｃ１２：０）を含む、脂肪酸混合物であって、
前記一価不飽和脂肪酸が、前記混合物の５重量％〜９５重量％を占め、
前記混合物が、１２個より多い炭素を有する２０％未満の多価不飽和脂肪酸及び飽和脂肪酸を含み、
前記脂肪酸が、示された脂肪酸のアルキルエステルを含む、
脂肪酸混合物。
【請求項２】
６％〜２０％のラウリン酸（Ｃ１２：０）を含む、請求項１に記載の混合物。
【請求項３】
カプリル酸（Ｃ８：０）、カプリン酸（Ｃ１０：０）、及びラウリン酸（Ｃ１２：０）が合計で、前記混合物の２０％〜４０％を占める、請求項１に記載の混合物。
【請求項４】
オレイン酸（Ｃ１８：１）及びパルミトレイン酸（１６：１）が合計で、前記混合物の５０％〜８５％を占める、請求項１に記載の混合物。
【請求項５】
オレイン酸（Ｃ１８：１）及びパルミトレイン酸（１６：１）が合計で、前記混合物の５０％〜８５％を占める、請求項１に記載の混合物。
【請求項６】
ステアリン酸（１８：０）及びパルミチン酸（１６：０）が、前記混合物の４％未満を占める、請求項１に記載の混合物。
【請求項７】
ミリスチン酸（１４：０）が、前記混合物の２％未満を占める、請求項１に記載の混合物。
【請求項８】
リノール酸（１８：２）及びリノレン酸（１８：３）が合計で、前記混合物の３％未満を占める、請求項１に記載の混合物。
【請求項９】
アラキジン酸（Ｃ２０：０）、ベヘン酸（Ｃ２２：０）及びリグノセリン酸（Ｃ２４：０）が、前記混合物の１％未満を占める、請求項１に記載の混合物。
【請求項１０】
５５％〜６５％のオレイン酸（Ｃ１８：１）、
５％〜１５％のラウリン酸（Ｃ１２：０）、
１５％〜２５％のカプリン酸（Ｃ１０：０）、及び
５％〜１５％のカプリル酸（Ｃ８：０）、
を含む、請求項１に記載の混合物。
【請求項１１】
請求項１〜１０のいずれか１項に記載の脂肪酸混合物からなる脂肪酸組成を有するオイルを生産するために改変された遺伝子改変植物。
【請求項１２】
２又はそれ以上のオイル、請求項１記載の脂肪酸またはアルキルエステルのブレンドであって、前記混合物は内燃機関内の燃料として使用するために適当であるブレンド。
【請求項１３】
少なくとも５０重量％の飽和中鎖脂肪酸アルキルエステル、ミリストレイン酸アルキルエステル、及び一価不飽和長鎖脂肪酸アルキルエステル、並びに、
１０重量％未満のミリスチン酸アルキルエステル及び飽和長鎖脂肪酸アルキルエステル、
を含む、脂肪酸アルキルエステルの混合物。
【請求項１４】
−１０℃又はそれ未満の融点を有する、請求項１に記載の混合物。
【請求項１５】
−１０℃又はそれ未満の融点を有する、請求項１３に記載の混合物。
【請求項１６】
内燃機関内の燃料として使用するために適当である、請求項１３に記載の混合物。
【請求項１７】
燃料添加剤、機能液、又は凝固点降下剤として使用するために適当である、請求項１に記載の混合物。
【請求項１８】
燃料添加剤、機能液、又は凝固点降下剤として使用するために適当である、請求項１３に記載の混合物。
【請求項１９】
請求項１に記載の混合物及び石油ディーゼルを含むバイオディーゼルブレンド。
【請求項２０】
請求項１３に記載の混合物及び石油ディーゼルを含むバイオディーゼルブレンド。
【請求項２１】
１つ又はそれ以上の設計された変異を有する１つ又はそれ以上の改変酵素を発現する遺伝子組み換え植物であって、該１つ又はそれ以上の設計された変異が該酵素内の規定された位置に存在し、天然の植物と比較して、増加した量の１２個又はそれより少ない炭素を有する中鎖脂肪酸を生産する、前記遺伝子組み換え植物。
【請求項２２】
前記改変酵素がアシルＡＣＰチオエステラーゼである、請求項２１に記載の遺伝子組み換え植物。
【請求項２３】
前記修飾アシルＡＣＰチオエステラーゼが、配列番号２の９１〜３９７位に相当する領域内の１ヶ所又はそれ以上の位置における変異を含む、請求項２２に記載の遺伝子組み換え植物。
【請求項２４】
前記修飾アシルＡＣＰチオエステラーゼが、配列番号２のアミノ酸残基１２８〜１４７位、配列番号２のアミノ酸残基１７５〜２０６位、配列番号２のアミノ酸残基２５４〜２９７位、配列番号２のアミノ酸残基３３３〜３３５位、及び配列番号２のアミノ酸残基３６５〜３９７位からなる群より選択される領域に相当する領域に１ヶ所又はそれ以上の位置における変異を含む、請求項２３に記載の遺伝子組み換え植物。
【請求項２５】
前記改変酵素がケトアシルシンターゼ（ＫＡＳ）である、請求項２１に記載の遺伝子組み換え植物。
【請求項２６】
前記修飾ケトアシルシンターゼ（ＫＡＳ）が、配列番号３のアミノ酸残基３２５〜３８５位に相当する領域内の１ヶ所又はそれ以上の位置における変異を含む、請求項２５に記載の遺伝子組み換え植物。
【請求項２７】
修飾ケトアシルシンターゼ（ＫＡＳ）をさらに含む、請求項２２に記載の遺伝子組み換え植物。
【請求項２８】
１つ又はそれ以上の設計された変異を有する１つ又はそれ以上の改変酵素を発現する遺伝子組み換え植物であって、該１つ又はそれ以上の設計された変異が該酵素内の規定された位置に存在し、天然の植物と比較して、増加した量の１６個の炭素、１８個の炭素、又はその組み合わせを有する一価不飽和脂肪酸を生産する、前記遺伝子組み換え植物。
【請求項２９】
前記改変酵素がデサチュラーゼである、請求項２８に記載の遺伝子組み換え植物。
【請求項３０】
トランスジーンをさらに含む、請求項２２に記載の遺伝子組み換え植物。
【請求項３１】
トランスジーンをさらに含む、請求項２８に記載の遺伝子組み換え植物。
【請求項３２】
請求項２２に記載の遺伝子組み換え植物を生産するための種子。
【請求項３３】
請求項２２に記載の遺伝子組み換え植物の種子、果実、又は葉から抽出されたオイル。
【請求項３４】
Ｃ８及びＣ１０脂肪アシル−ＡＣＰ基質に対する活性を有する第一のアシル−ＡＣＰチオエステラーゼをコードする発現トランスジーン、及びＣ１２脂肪アシル−ＡＣＰ基質に対する活性を有する第二のアシル−ＡＣＰチオエステラーゼをコードする発現トランスジーンを含むトランスジェニック植物。
【請求項３５】
請求項３４に記載のトランスジェニック植物を生産するための種子。
【請求項３６】
請求項３４に記載のトランスジェニック植物の種子、果実、又は葉から抽出されたオイル。
【請求項３７】
脂肪酸アルキルエステルを含むバイオディーゼルを生産するために、遺伝子組み換え植物又はトランスジェニック植物の種子、果実、又は葉から抽出されたオイルをエステル交換する工程を含む、該遺伝子組み換え植物又は該トランスジェニック植物のオイルからバイオディーゼルを生産する方法。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
式（Ｉ）：
ＲｆａＳＯ２−Ｎ（Ｒ）（ＣｎＨ２ｎ）ＣＨＺ（ＣｍＨ２ｍ）Ｎ（Ｒ’）ＳＯ２Ｒｆｂ
Ｉ
［式中、ＲｆａはＣｐＦ２ｐ＋１（式中、ｐは１〜５の整数である。）であり；
ＲｆｂはＣｑＦ２ｑ＋１（式中、ｑは１〜５の整数であるが、ただしｐ又はｑの少なくとも１つは１である。）であり；
ＲはＣ１〜Ｃ６のアルキル基又はアリール基であり；
ｍ及びｎは各々独立して１〜２０の整数であり；
Ｚは水素及び式：−（ＣｔＨ２ｔ）−Ｘ−Ｑ−Ｓｉ（Ｙ’）ｗ（Ｙ）３−ｗ｛式中、ｔは０〜４の整数であり、−Ｘ−は−Ｏ−、−Ｓ−及び−ＮＨ−からなる群から選択され；−Ｑ−は−Ｃ（Ｏ）ＮＨ−（ＣＨ２）ｖ−及び−（ＣＨ２）ｖ−（式中、ｖは１〜２０の整数である。）からなる群から選択され；Ｙは加水分解性基であり；Ｙ’は非加水分解性基であり；そして、ｗは０〜２の整数である。｝の基からなる群から選択され；
Ｒ’はＣ１〜Ｃ６のアルキル基、アリール基、及び式：−（ＣＨ２）ｖ−Ｓｉ（Ｙ’）ｗ（Ｙ）３−ｗの基からなる群から選択されるが、ただし、Ｚが水素の場合、Ｒ’は式：−（ＣＨ２）ｖ−Ｓｉ（Ｙ’）ｗ（Ｙ）３−ｗの基である。］
の少なくとも１種のシランからなる、フルオロケミカル組成物。
【請求項２】
式（ＩＩ）：
Ｍ（Ｙ’）ｓ（Ｙ）ｒ−ｓ
ＩＩ
（式中、ＭはＳｉ、Ｔｉ、Ｚｉ、Ａｌ、Ｖ、Ｓｎ、及びＺｎからなる群から選択され、
Ｙ’は非加水分解性基であり、
Ｙは加水分解性基であり、
ｓは０、１又は２であり、そして
ｒは４、３又は２である。）
の少なくとも１種の化合物を更に含む、請求項１に記載の組成物。
【請求項３】
有機溶媒を更に含む、請求項１又は２に記載の組成物。
【請求項４】
請求項３に記載の組成物を前記基材に適用することを含む、ケイ質基材の処理方法。
【請求項５】
式：ＲｆａＳＯ２Ｎ（Ｒ）ＣＨ２ＣＨＺ’ＣＨ２Ｎ（Ｒ）ＳＯ２Ｒｆｂのシランの調製方法、
前記方法は、（ａ）式（ＩＩＩ）：
【化２】
2009542861.tif 000001
の化合物と、
（ｂ）式：Ｒｆｂ−ＳＯ２−ＮＨＲの化合物と、
（ｃ）塩基と、
を反応させて、
式：ＲｆａＳＯ２−Ｎ（Ｒ）ＣＨ２ＣＨ（ＯＨ）ＣＨ２Ｎ（Ｒ）ＳＯ２Ｒｆｂの化合物を与えること、および、
式：ＲｆａＳＯ２−Ｎ（Ｒ）ＣＨ２ＣＨ（ＯＨ）ＣＨ２Ｎ（Ｒ）ＳＯ２Ｒｆｂの化合物と、式：Ｗ−Ｑ−Ｓｉ（Ｙ’）ｗ（Ｙ）３−ｗの化合物とを反応させて、式：ＲｆａＳＯ２Ｎ（Ｒ）ＣＨ２ＣＨＺ’ＣＨ２Ｎ（Ｒ）ＳＯ２Ｒｆｂの化合物を与えること；
［式中、ＲｆａはＣｐＦ２ｐ＋１（式中、ｐは１〜５の整数である。）であり；
ＲｆｂはＣｑＦ２ｑ＋１（式中、ｑは１〜５の整数であるが、ただし、ｐ又はｑの少なくとも１つは１である。）であり；
各Ｒは独立してＣ１〜Ｃ６のアルキル基又はアリール基であり；
ＷはＩ−、Ｂｒ−、Ｃｌ−、及びＯＣＮ−からなる群から選択され；
そして、Ｚ’は式：−Ｏ−Ｑ−Ｓｉ（Ｙ’）ｗ（Ｙ）３−ｗ｛式中、−Ｑ−は−Ｃ（Ｏ）ＮＨ−（ＣＨ２）ｖ−及び−（ＣＨ２）ｖ−（式中、ｖは１〜２０の整数である。）からなる群から選択され；Ｙは加水分解性基であり；Ｙ’は非加水分解性基であり；そしてｗは０〜２の整数である。｝の基である。］
からなる。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
少なくとも１つの照射硬化型モノマーと、
少なくとも１つの不活性熱可塑性樹脂と、
少なくとも１つのラジカル光開始剤と、
少なくとも１つの着色剤とを含み、
２５℃で１００ｍＰａｓ未満の粘度を有し、
少なくとも１つの不活性樹脂が、全重量に対して２から１５重量％で存在し、１，５００から７０，０００の分子量を有する、実質的に水および揮発性有機溶媒を含まないインクジェット用インク。
【請求項２】
前記照射硬化型モノマーが単官能性モノマーである、請求項１に記載のインクジェット用インク。
【請求項３】
前記照射硬化型モノマーがメタクリレート／アクリレートモノマーである、請求項１または２に記載のインクジェット用インク。
【請求項４】
前記少なくとも１つの不活性樹脂がインクの全重量に対して３から１０重量％で存在する、上記請求項のいずれか一項に記載のインクジェット用インク。
【請求項５】
前記少なくとも１つの不活性樹脂が、２，０００から３０，０００の分子量を有する、上記請求項のいずれか一項に記載のインクジェット用インク。
【請求項６】
前記少なくとも１つの不活性樹脂が、２０から１５０℃のガラス転移温度を有する、上記請求項のいずれか一項に記載のインクジェット用インク。
【請求項７】
前記少なくとも１つの不活性樹脂が、３０から１５０℃の範囲内の融点範囲を有する、上記請求項のいずれか一項に記載のインクジェット用インク。
【請求項８】
前記少なくとも１つの不活性樹脂が、アクリル樹脂、エポキシ樹脂、ケトン樹脂、ニトロセルロース樹脂、フェノキシ樹脂、ポリエステル樹脂、ＰＶＣ樹脂、またはこれらの混合物から選択される、上記請求項のいずれか一項に記載のインクジェット用インク。
【請求項９】
前記少なくとも１つの不活性樹脂が、アクリル樹脂またはアクリル樹脂の混合物である、請求項８に記載のインクジェット用インク。
【請求項１０】
前記少なくとも１つの不活性樹脂が、５０００から７０００の分子量を有するメチルメタクリレート−ブチルアクリレート共重合体である、請求項９に記載のインクジェット用インク。
【請求項１１】
前記インクが、インクの全重量に対して１５重量％以下の多官能性モノマーを含む、上記請求項のいずれか一項に記載のインクジェット用インク。
【請求項１２】
前記インクが実質的に多官能性モノマーを含まない、請求項１１に記載のインクジェット用インク。
【請求項１３】
前記インクが、インクの全重量に対して１０重量％以下のオリゴマーを含む、上記請求項のいずれか一項に記載のインクジェット用インク。
【請求項１４】
前記インクが実質的にオリゴマーを含まない、請求項１３に記載のインクジェット用インク。
【請求項１５】
前記少なくとも１つの単官能性メタクリレート／アクリレートが選択される、上記請求項のいずれか一項に記載のインクジェット用インク。
【請求項１６】
上記請求項のいずれか一項に記載のインクジェット用インクを基板上にプリントする工程と、前記インクを硬化させる工程とを含む、インクジェットプリント方法。
【請求項１７】
上記請求項のいずれか一項に記載のインクジェット用インクを平面状の基板上にプリントする工程と、
前記インクを硬化させる工程と、
前記基板を前記基板のガラス転移温度より高い温度まで加熱する工程と、
前記基板に真空形成を施して前記３次元物体を形成する工程とを含む、３次元物体の製造方法。
【請求項１８】
請求項１から１５のいずれか１つに記載のインクジェット用インクがプリントされた基板。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
（ｉ）
（ａ）乾燥したポリエチレングリコール（PEG）またはポリプロピレングリコール（PPG）、
（ｂ）乾燥したPEG−PPG−PEGブロック共重合体またはPPG−PEG−PPGブロック共重合体 、
（ｃ）炭素数５〜２０のジオールである乾燥した二官能性化合物、及び
（ｄ）二官能性イソシアネート
を共に反応して得られる線状ポリマーと、
(ii)放出可能な薬学的活性剤
を含む、固形投与製剤用の薬剤放出制御組成物。
【請求項２】
ポリエチレングリコールが、分子量４００〜２０００の線状ポリエチレングリコールである請求項１に記載の組成物。
【請求項３】
ポリプロピレングリコールが、分子量４００〜２０００の線状ポリプロピレングリコールである請求項１に記載の組成物。
【請求項４】
ブロック共重合体の分子量が２００〜１４，０００である先行するいずれかの請求項に記載の組成物。
【請求項５】
ジオールが、炭素数５〜１５のジオールである先行するいずれかの請求項に記載の組成物。
【請求項６】
ジオールが、炭素数８〜１５のジオールである先行するいずれかの請求項に記載の組成物。
【請求項７】
ジオールが、１，６−へキサンジオール、１，１０−デカンジオール、１，１２−ドデカンジオールまたは１，１６−ヘキサデカンジオールである請求項１に記載の組成物。
【請求項８】
二官能性イソシアネート（ｄ）が、ジシクロヘキシルメタン−４，４−ジイソシアネート、ジフェニルメタン−４，４−ジイソシアネートまたは１，６−へキサメチレンジイソシアネートである先行するいずれかの請求項に記載の組成物。
【請求項９】
（ａ）：（ｂ）：（ｃ）：（ｄ）の組成比が、当量換算でそれぞれ０．０１〜１：０．０１〜１：１：１．０２〜３の範囲内である先行するいずれかの請求項に記載の組成物。
【請求項１０】
固形投与製剤が座剤、膣リングもしくはペッサリー、口腔挿入剤、または経皮吸収型パッチである先行するいずれかの請求項に記載の組成物。
【請求項１１】
固形投与製剤がインプラントである先行するいずれかの請求項に記載の組成物。
【請求項１２】
活性剤の分子量が、２００，０００以下である先行するいずれかの請求項に記載の組成物。
【請求項１３】
活性剤の分子量が、２００〜２０，０００である請求項１２に記載の組成物。
【請求項１４】
ポリエチレングリコール（PEG）またはポリプロピレングリコール（PPG）、及びブロック共重合体を、二官能性化合物と共に真空下８５〜１００℃で、溶解、乾燥し、その後二官能性イソシアネートを添加することを含む先行するいずれかの請求項に記載の線状ポリマーの製造方法。
【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
９５質量％を超える親油性物質からなるカプセル芯材と、熱硬化性ポリマーからなるカプセル壁と、カプセル壁の外表面に付着した平均分子量が５００ｇ／ｍｏｌ〜１０，０００，０００ｇ／ｍｏｌの範囲にある高分子電解質とを含むマイクロカプセル。
【請求項２】
前記高分子電解質の量が、マイクロカプセルの総質量に対して０．１〜１０質量％の範囲にある請求項１に記載のマイクロカプセル。
【請求項３】
前記高分子電解質が１種以上のカチオン性高分子電解質を含む請求項１又は２に記載のマイクロカプセル。
【請求項４】
前記高分子電解質が、ポリアクリル酸、フェノールスルホン酸樹脂、ポリジアリルジメチルアンモニウム塩化物、ポリビニルアミン、部分加水分解ポリビニルホルムアミド、及びポリエチレンイミンから選ばれる請求項１又は３に記載のマイクロカプセル。
【請求項５】
前記熱硬化性ポリマーが、架橋ホルムアルデヒド樹脂類、架橋ポリウレア、架橋ポリウレタン、及びメタクリル酸およびアクリル酸エステルポリマーから選ばれる請求項１〜４のいずれか１項に記載のマイクロカプセル。
【請求項６】
前記カプセル壁が、全モノマーの質量に対して、
１０〜１００質量％の１種以上のアクリル酸及び／又はメタクリル酸のＣ1〜Ｃ24−アルキルエステル類（モノマーＩ）と、
０〜８０質量％の水不溶性又は水難溶性の二官能性又は多官能性のモノマー（モノマーＩＩ）と、
０〜９０質量％の他のモノマー（モノマーＩＩＩ）とから構成される請求項１〜５のいずれか１項に記載のマイクロカプセル。
【請求項７】
前記カプセル壁が、
３０〜９９質量％の１種以上のアクリル酸及び／又はメタクリル酸のＣ1〜Ｃ24−アルキルエステル類（モノマーＩ）と、
１〜７０質量％の水不溶性又は水難溶性の二官能性又は多官能性のモノマー（モノマーＩＩ）と、
０〜９０質量％の他のモノマー（モノマーＩＩＩ）とから構成される請求項１〜６のいずれか１項に記載のマイクロカプセル。
【請求項８】
前記カプセル芯材が、固体／液相転移が−２０〜１２０℃の温度範囲で起こる親油性物質である請求項１〜７のいずれか１項に記載のマイクロカプセル。
【請求項９】
１種以上の高分子電解質を、カプセル芯材と熱硬化性ポリマーから構成されるカプセル壁とを含むマイクロカプセルの表面に塗布することにより得られる請求項１〜８のいずれか１項に記載のマイクロカプセル。
【請求項１０】
１種以上の高分子電解質を、カプセルカプセル芯材と、
以下の組成：
全モノマーの質量に対して、
１０〜１００質量％の一種以上のアクリル酸及び／又はメタクリル酸のＣ1〜Ｃ24−アルキルエステル類（モノマーＩ）と、
０〜８０質量％の水不溶性又は水難溶性の二官能性又は多官能性のモノマー（モノマーＩＩ）と、
０〜９０質量％の他のモノマー（モノマーＩＩＩ）、
から構成されるカプセル壁とを含むマイクロカプセルの表面に塗布することにより得られる請求項６に記載のマイクロカプセル。
【請求項１１】
前記モノマー類、前記親油性物質、および保護コロイドを含む水中油滴エマルジョンをフリーラジカル重合し、次いでこのマイクロカプセルを高分子電解質で処理し、必要に応じて、次いで噴射乾燥して得られる請求項６又は１０に記載のマイクロカプセル。
【請求項１２】
前記親油性物質が、脂肪族炭化水素化合物、芳香族炭化水素化合物、飽和又は不飽和のＣ6〜Ｃ30−脂肪酸、脂肪アルコール、Ｃ6〜Ｃ30−脂肪族アミン、脂肪酸のＣ1〜Ｃ10−アルキルエステル、天然及び合成ワックス、及びハロゲン化炭化水素から選ばれる請求項１〜１１のいずれか１項に記載のマイクロカプセル。
【請求項１３】
請求項１〜１２のいずれか１項に記載のマイクロカプセルを製造する方法であって、水性媒体中又は水中でマイクロカプセルを１種以上の高分子電解質と接触させることを特徴とする方法。
【請求項１４】
前記モノマー類、前記親油性物質、および保護コロイドを含む水中油滴エマルジョンをフリーラジカル重合させ、得られたマイクロカプセル分散液に１種以上の高分子電解質を添加する請求項１３に記載のマイクロカプセルの製造方法。
【請求項１５】
請求項１〜１２のいずれか一項に記載のマイクロカプセルの繊維や編織布製品を加工するための使用方法。
【請求項１６】
請求項１〜１２のいずれか一項に記載のマイクロカプセルの鉱物バインダー含有建材を加工するための使用方法。
【請求項１７】
請求項１〜１２のいずれか一項に記載のマイクロカプセルの濾材としての使用方法。
【請求項１８】
請求項１〜１２のいずれか一項に記載のマイクロカプセルの熱伝導流体を製造するための使用方法。
【手続補正２】
【補正対象書類名】明細書
【補正対象項目名】０１０４
【補正方法】変更
【補正の内容】
【０１０４】
好適な物質の例は次の通りである。
−分岐状の、好ましくは線状の脂肪族の炭化水素化合物、特に飽和又は不飽和のＣ10〜Ｃ40−炭化水素類で、具体例としては、ｎ−テトラデカン、ｎ−ペンタデカン、ｎ−ヘキサデカン、ｎ−ヘプタデカン、ｎ−オクタデカン、ｎ−ノナデカン、ｎ−エイコサン、ｎ−ヘンエイコサン、ｎ−ドコサン、ｎ−トリコサン、ｎ−テトラコサン、ｎ−ペンタコサン、ｎ−ヘキサコサン、ｎ−ヘプタコサン、ｎ−オクタコサンなど、および環状炭化水素、例えばシクロヘキサン、シクロオクタン、シクロデカン；
−ベンゼンや、ナフタレン、ビフェニル、ｏ−またはｎ−ターフェニルなどの芳香族の炭化水素化合物、およびドデシルベンゼンや、テトラデシルベンゼン、ヘキサデシルベンゼン、ヘキシルナフタレン、デシルナフタレンなどのＣ1〜Ｃ40−アルキル置換芳香族炭化水素； 
−ラウリン酸やステアリン酸、オレイン酸、ベヘン酸などの飽和又は不飽和のＣ6〜Ｃ30−脂肪酸、好ましくはデカン酸と例えばミリスチン酸、パルミチン酸、またはラウリン酸との共晶混合物； 
−ラウリルアルコールやステアリルアルコール、オレイルアルコール、ミリスチルアルコール、セチルアルコールなどの脂肪アルコール、ココナッツ脂肪アルコールなどの混合物、およびα−オレフィンのハイドロホルミル化等の反応により得られるいわゆるオキソアルコール； 
−デシルアミンやドデシルアミン、テトラデシルアミン、ヘキサデシルアミンなどのＣ6〜Ｃ30−脂肪族アミン；脂肪酸のＣ1〜Ｃ10−アルキルエステル類などのエステル類、例えば、プロピルパルミテートやメチルステアレート、メチルパルミテートで、好ましくはこれらの共晶混合物またはメチルシンナメート；
−モンタン酸ワックスやモンタンエステルワックス、カルナバロウ、ポリエチレンワックスなどの天然及び合成ワックス、酸化ワックス、ポリビニルエーテルワックス、エチレン−ビニルアセテートワックスまたはフィッシャートロプシュ法による硬質ワックス；
−クロロパラフィンやブロモオクタデカン、ブロモペンタデカン、ブロモノナデカン、ブロモエイコサン、ブロモドコサンなどのハロゲン化炭化水素。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
化学式（Ｉ）
【化１】
2009542856.tif 000001
のモノマーにおいて、
式中、Ｌは同じものまたは異なるものであり得、結合、水素、ウレタン、カーボネート、カルバメート、カルボキシルウレイド、スルホニル、直鎖または分岐Ｃ１−Ｃ３０アルキル基、Ｃ１−Ｃ３０フルオロアルキル基、Ｃ１−Ｃ２０エステル含有基、アルキルエーテル、シクロアルキルエーテル、シクロアルケニルエーテル、アリールエーテル、アリールアルキルエーテル、ポリエーテル含有基、ウレイド基、アミド基、アミン基、置換または未置換Ｃ１−Ｃ３０アルコキシ基、置換または未置換Ｃ３−Ｃ３０シクロアルキル基、置換または未置換Ｃ３−Ｃ３０シクロアルキルアルキル基、置換または未置換Ｃ３−Ｃ３０シクロアルケニル基、置換または未置換Ｃ５−Ｃ３０アリール基、置換または未置換Ｃ５−Ｃ３０アリールアルキル基、置換または未置換Ｃ５−Ｃ３０ヘテロアリール基、置換または未置換Ｃ３−Ｃ３０複素環、置換または未置換Ｃ４−Ｃ３０ヘテロシクロアルキル基、置換または未置換Ｃ６−Ｃ３０ヘテロアリールアルキル基、Ｃ５−Ｃ３０フルオロアリール基、またはヒドロキシル置換アルキルエーテルおよびそれらの組合せからなる群から選択されており；Ｘ−は少なくとも１価の対イオンであり；ｍは１〜５であり、ｎは１〜１０，０００であり；各Ｒｆは、全てではないが一部のＲｆが水素であることを条件として、独立して水素、フッ素、Ｃ５−Ｃ３０フルオロアリール基、Ｃ１−Ｃ３０フルオロアルキル基、またはそれらの組み合わせであり；Ｒは独立して水素、直鎖または分岐Ｃ１−Ｃ３０アルキル基、Ｃ１−Ｃ２０エステル含有基、アルキルエーテル、シクロアルキルエーテル、シクロアルケニルエーテル、アリールエーテル、アリールアルキルエーテル、ポリエーテル含有基、ウレイド基、アミド基、アミン基、置換または未置換Ｃ１−Ｃ３０アルコキシ基、置換または未置換Ｃ３−Ｃ３０シクロアルキル基、置換または未置換Ｃ３−Ｃ３０シクロアルキルアルキル基、置換または未置換Ｃ３−Ｃ３０シクロアルケニル基、置換または未置換Ｃ５−Ｃ３０アリール基、置換または未置換Ｃ５−Ｃ３０アリールアルキル基、置換または未置換Ｃ５−Ｃ３０ヘテロアリール基、置換または未置換Ｃ３−Ｃ３０複素環、置換または未置換Ｃ４−Ｃ３０ヘテロシクロアルキル基、置換または未置換Ｃ６−Ｃ３０ヘテロアリールアルキル基またはヒドロキシル基であり；Ｚが存在する場合それはＲまたはＶであり；Ｖは独立して重合可能なエチレン不飽和有機ラジカルであることを特徴とするモノマー。
【請求項２】
Ｘ−が、Ｃｌ−、Ｂｒ−、Ｉ−、ＣＦ３ＣＯ２−、ＣＨ３ＣＯ２−、ＨＣＯ３−、ＣＨ３ＳＯ４−、ｐ−トルエンスルホナート、ＨＳＯ４−、Ｈ２ＰＯ４−、ＮＯ３−、ＣＨ３ＣＨ（ＯＨ）ＣＯ２−、ＳＯ４２−、ＣＯ３２−、ＨＰＯ４２−およびその混合物からなる群から選択されることを特徴とする請求項１に記載のモノマー。
【請求項３】
Ｘ−が少なくとも１価の対イオンであり、Ｃｌ−、Ｂｒ−、Ｉ−、ＣＦ３ＣＯ２−、ＣＨ３ＣＯ２−、ＨＣＯ３−、ＣＨ３ＳＯ４−、ｐ−トルエンスルホネート、ＨＳＯ４−、Ｈ２ＰＯ４−、ＮＯ３−およびＣＨ３ＣＨ（ＯＨ）ＣＯ２−およびその混合物からなる群から選択されることを特徴とする請求項１に記載のモノマー。
【請求項４】
請求項１に記載の少なくとも１つのモノマーおよび少なくとも１つの第２のモノマーを含むことを特徴とする重合生体材料を作るために有用なモノマー混合物。
【請求項５】
第２のモノマーに加えて、疎水性モノマーおよび親水性モノマーをさらに含むことを特徴とする請求項４に記載のモノマー混合物。
【請求項６】
第２のモノマーが、不飽和カルボン酸、メタクリル酸、アクリル酸、アクリル置換アルコール、２−ヒドロキシエチルメタクリレート、２−ヒドロキシエチルアクリレート、ビニルラクタム、Ｎ−ビニルピロリドン（ＮＶＰ）Ｎ−ビニルカプロラクトン、アクリルアミド、メタクリルアミド、Ｎ，Ｎ−ジメチルアクリルアミド、メタクリレート、メチルメタクリレート、親水性ビニルカーボネート、親水性ビニルカルバメートモノマー、親水性オキサゾロンモノマー、３−メタクリロイルオキシプロピルトリス（トリメチルシロキシ）シラン、エチレングリコールジメタクリレート（ＥＧＤＭＡ）、アリルメタクリレート（ＡＭＡ）およびそれらの混合物からなる群から選択されることを特徴とする請求項４に記載のモノマー混合物。
【請求項７】
重合コモノマーとして請求項１に記載のモノマーを含むことを特徴とするデバイス。
【請求項８】
コンタクトレンズであることを特徴とする請求項７に記載のデバイス。
【請求項９】
前記コンタクトレンズが気体透過性ハードコンタクトレンズであることを特徴とする請求項８に記載のデバイス。
【請求項１０】
前記コンタクトレンズがソフトコンタクトレンズであることを特徴とする請求項８に記載のデバイス。
【請求項１１】
前記コンタクトレンズがヒドロゲルコンタクトレンズであることを特徴とする請求項８に記載のデバイス。
【請求項１２】
前記デバイスが眼内レンズであることを特徴とする請求項７に記載のデバイス。
【請求項１３】
前記眼内レンズが有水晶体眼内レンズであることを特徴とする請求項１２に記載のデバイス。
【請求項１４】
前記眼内レンズが無水晶体眼内レンズであることを特徴とする請求項１２に記載のデバイス。
【請求項１５】
角膜インプラントであることを特徴とする請求項７に記載のデバイス。
【請求項１６】
心臓弁、眼内レンズ、フィルム、外科用デバイス、血管代用品、子宮内器具、膜、ダイヤフラム、外科用インプラント、血管、人工尿管、人工乳房組織、腎臓透析機用膜、人工心肺装置用膜、カテーテル、マウスガード、義歯裏装材、眼科用デバイスおよびコンタクトレンズからなる群から選択されることを特徴とする請求項７に記載のデバイス。
【請求項１７】
デバイスの製造方法であって、
−  請求項１に記載の前記モノマーおよび少なくとも１つの第２のモノマーを含むモノマー混合物を提供するステップと；
−  モノマー混合物を重合条件に付して重合デバイスを提供するステップと；
−  前記重合デバイスを抽出するステップと； 
−  前記重合デバイスを包装し滅菌するステップと、
を含む方法。
【請求項１８】
抽出ステップが不燃性溶媒を用いて行われることを特徴とする請求項１７に記載の方法。
【請求項１９】
前記不燃性溶媒が水であることを特徴とする請求項１８に記載の方法。
【請求項２０】
エチレン不飽和カチオン親水性基でエンドキャップされたフッ素化ポリエーテルモノマー。
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
接着テープであって、前記接着テープが、接着剤ポリマー樹脂と前記接着剤ポリマー樹脂に分配された導電性充填剤とを含むとともに、その両面に異なる接着値を有し、前記導電性充填剤が、前記接着剤ポリマー樹脂の長手方向及び横断方向の両方に配置されている一方で、それらが互いに、前記接着テープの一方の表面から前記接着テープのもう一方の表面まで電気的に接続されている、接着テープ。
【請求項２】
厚さが約２５μｍ〜３ｍｍである、請求項１に記載の接着テープ。
【請求項３】
一方の表面での初期接着値が約１１６〜３８６センチニュートン／センチメートル（３００〜１０００ｇｆ／インチ）であるとともに、もう一方の表面での初期接着値が約３０９〜９６５センチニュートン／センチメートル（８００〜２５００ｇｆ／インチ）である、請求項１に記載の接着テープ。
【請求項４】
前記導電性充填剤が、前記接着剤ポリマー樹脂１００重量部につき１０〜５００重量部の量で存在する、請求項１に記載の接着テープ。
【請求項５】
前記接着剤ポリマー樹脂がアクリルポリマー樹脂を包含し、要すれば前記アクリルポリマー樹脂が、Ｃ１〜Ｃ１４アルキル基を有するアルキルアクリレートモノマーと極性の共重合性モノマーとの共重合によって得られるポリマーを包含する、請求項１に記載の接着テープ。
【請求項６】
前記アルキルアクリレートモノマーが、ブチル（メタ）アクリレート、ヘキシル（メタ）アクリレート、ｎ−オクチル（メタ）アクリレート、イソオクチル（メタ）アクリレート、２−エチルヘキシル（メタ）アクリレート、イソノニル（メタ）アクリレート、イソオクチルアクリレート、イソノニルアクリレート、２−エチルヘキシルアクリレート、デシルアクリレート、ドデシルアクリレート、ｎ−ブチルアクリレート、及びヘキシルアクリレートから選択される、請求項５に記載の接着テープ。
【請求項７】
前記極性の共重合性モノマーが、アクリル酸、イタコン酸、ヒドロキシアルキルアクリレート、シアノアルキルアクリレート、アクリルアミド、置換アクリルアミド、Ｎ−ビニルピロリドン、Ｎ−ビニルカプロラクタム、アクリロニトリル、塩化ビニル、及びフタル酸ジアリルから選択される、請求項５に記載の接着テープ。
【請求項８】
前記アルキルアクリレートモノマーと前記極性の共重合性モノマーとが９９〜５０：１〜５０の比で使用される、請求項６に記載の接着テープ。
【請求項９】
前記導電性充填剤が、貴金属類；非貴金属類；貴金属メッキされた貴金属又は非貴金属；非貴金属メッキされた貴金属及び非貴金属；貴金属又は非貴金属メッキされた非金属；導電性の非金属；導電性ポリマー；並びにこれらの混合物からなる群から選択される、請求項１に記載の接着テープ。
【請求項１０】
接着剤ポリマー樹脂形成用のモノマーを導電性充填剤と混合する工程と；
該混合物をシート状に成形する工程と；
前記シートの両面に光を照射して、前記接着剤ポリマー樹脂の光重合を行う工程であって、前記シートの各表面には異なる強度の光が照射され、及び前記光が、前記シート表面の一部に選択的に照射される工程と、を含み、
要すれば、前記接着剤ポリマー樹脂形成用のモノマーを前記導電性充填剤と混合する前記工程が：
前記接着剤ポリマー樹脂用のモノマーを部分重合することによってポリマーシロップを形成する工程と；
前記モノマーを部分重合することによって得られた前記ポリマーシロップに前記導電性充填剤を添加する工程と、を包含する、
長手方向と横断方向の両方に導電性を有する接着テープの製造方法。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
大腸菌の染色体および組換え染色体外ベクターの少なくとも１つのコピーを含んでなる、大腸菌Ｌ−アスパラギナーゼＩＩ酵素を産生するための組換え大腸菌宿主細胞であって、
前記組換え染色体外ベクターが、Ｌ−アスパラギナーゼＩＩ酵素のサブユニットをコードし、
前記宿主細胞の染色体もまた、Ｌ−アスパラギナーゼＩＩ酵素の同じサブユニットをコードし、
前記宿主染色体が、Ｌ−アスパラギナーゼＩＩの他のいずれのイソ型もコードしないことを特徴とする、
組換え大腸菌宿主細胞。
【請求項２】
前記染色体外ベクターが、プラスミドであることを特徴とする請求項１に記載の組換え大腸菌宿主細胞。
【請求項３】
前記コード化Ｌ−アスパラギナーゼＩＩのサブユニットが、配列番号１を含んでなることを特徴とする請求項１に記載の組換え大腸菌宿主細胞。
【請求項４】
前記組換え染色体外ベクターが、好適なプロモーターに機能的に連結されているＬ−アスパラギナーゼタンパク質をコードするＤＮＡ分子を含んでなることを特徴とする請求項１に記載の組換え大腸菌宿主細胞。
【請求項５】
前記プロモーターが、Ｔ７、ａｒａＢ、ＰR／ＰL、ｐｈｏＡ、ｔｒｃ、およびｔｒｐプロモーターからなる群より選択されることを特徴とする請求項４に記載の組換え大腸菌宿主細胞。
【請求項６】
前記組換え染色体外ベクターが、オペレーター、リボソーム結合部位、シグナル配列、転写ターミネーター、抗生物質選択マーカー、複製の起点、およびレプレッサーの制御コピーをさらに含んでなることを特徴とする請求項４に記載の組換え大腸菌宿主細胞。
【請求項７】
前記Ｌ−アスパラギナーゼタンパク質ＩＩのサブユニットをコードする前記ＤＮＡ分子が、配列番号２を含んでなることを特徴とする請求項４に記載の組換え大腸菌宿主細胞。
【請求項８】
前記染色体が、配列番号３に従ったＤＮＡ分子を含んでなることを特徴とする請求項４に記載の組換え大腸菌宿主細胞。
【請求項９】
配列番号２および配列番号３に従った核酸分子からなる群より選択される配列番号１のＬ−アスパラギナーゼＩＩ酵素のサブユニットをコードする、単離された核酸分子。
【請求項１０】
配列番号２である請求項９に記載の核酸を含んでなる、染色体外ベクター。
【請求項１１】
プラスミドであることを特徴とする請求項１０に記載の染色体外ベクター。
【請求項１２】
プラスミドｐＥＮ５３７であることを特徴とする請求項１１に記載の染色体外ベクター。
【請求項１３】
配列番号２に従った核酸分子が、好適なプロモーターに機能的に連結されていることを特徴とする請求項１０記載の染色体外ベクター。
【請求項１４】
前記プロモーターが、Ｔ７、ａｒａＢ、ＰR／ＰL、ｐｈｏＡ、ｔｒｃ、およびｔｒｐプロモーターからなる群より選択されることを特徴とする請求項１０に記載の染色体外ベクター。
【請求項１５】
ＥＮ５３８と指定され、ＡＴＣＣ番号ＰＴＡ７４９０として寄託されている、請求項１２に記載のプラスミドを含んでなる大腸菌宿主細胞。
【請求項１６】
他のＬ−アスパラギナーゼＩＩ異性体を実質的に含まない、組換えＬ−アスパラギナーゼＩＩ酵素の産生方法であって、
請求項１５に記載の宿主細胞を培養し、
産生されたＬ−アスパラギナーゼＩＩ酵素を単離する、
各工程を有してなる、方法。
【請求項１７】
請求項１６に記載の組換えＬ−アスパラギナーゼＩＩ酵素を含んでなることを特徴とするポリアルキレンオキシド複合体。
【請求項１８】
Ｌ−アスパラギナーゼＩＩ酵素反応性の疾患または障害を有する患者を治療することを目的として、請求項１６に記載のＬ−アスパラギナーゼＩＩ酵素を有効量で投与するための医薬組成物。
【請求項１９】
Ｌ−アスパラギナーゼＩＩ酵素反応性の疾患または障害を有する患者を治療することを目的として、請求項１７に記載のポリアルキレンオキシド複合化Ｌ−アスパラギナーゼＩＩ酵素を有効量で投与するための医薬組成物。
【請求項２０】
配列番号２を含んでなるＬ−アスパラギナーゼＩＩ酵素のサブユニットをコードする、単離されたＤＮＡ分子。
【請求項２１】
配列番号１の同一のサブユニットを有する四量体酵素を含んでなる、単離された組換えタンパク質分子。
【手続補正書】
【提出日】平成22年6月28日(2010.6.28)
【手続補正１】
【補正対象書類名】明細書
【補正対象項目名】００４１
【補正方法】変更
【補正の内容】
【００４１】
実施例３：アルギニンアミドとのカップリングによるＡｒｇ（Ｂ３１）、Ｇｌｙ（Ａ２１）前駆体からのＡｒｇ（Ｂ３１）、Ａｒｇ（Ｂ３２）、Ｇｌｙ（Ａ２１）インスリンの調製
２１Ａ−Ｇｌｙ−３０Ｂ  ａ  Ｌ−Ａｒｇ−インスリン１００ｍｇをアルギニンアミド溶液０.９５ｍＬ（４４６ｇ／Ｌ）に溶解し、１Ｍの酢酸ナトリウム緩衝液（ｐＨ５.８）０.１３ｍＬ及びＤＭＦ２ｍＬを添加した。反応混合物を１２℃に冷却し、トリプシン０.０９４ｍＬ（０.０７５ｍｇ、Roche Diagnostics）を添加することによって開始した。
８時間後、ＴＦＡをｐＨ２.５まで添加することによって反応を停止させ、ＨＰＬＣによって分析した。６０％を超えるＡｒｇ（Ｂ３１）、Ａｒｇ（Ｂ３２）、Ｇｌｙ（Ａ２１）ヒトインスリンが生成した。トリプシン阻害剤溶液を添加した後、米国特許第５,６５６,７２２号と同様に、アミド化された類似体を精製した。次に、アミド化されたインスリン類似体を、酸の存在下で数時間加水分解して、Ａｒｇ（Ｂ３１）、Ａｒｇ（Ｂ３２）、−Ｇｌｙ（Ａ２１）ヒトインスリンを得た。
【手続補正２】
【補正対象書類名】明細書
【補正対象項目名】００４２
【補正方法】変更
【補正の内容】
【００４２】
実施例４：リシンアミドとのカップリングによるＡｒｇ（Ｂ３１）、Ｇｌｙ（Ａ２１）ヒトインスリン前駆体からのＡｒｇ（Ｂ３１）、Ｌｙｓ（Ｂ３２）、Ｇｌｙ（Ａ２１）ヒトインスリンの調製
２１Ａ−Ｇｌｙ−３０Ｂ  ａ  Ｌ−Ａｒｇ−インスリン１００ｍｇをリシンアミド溶液０.９３ｍＬ（４００ｇ／Ｌ）に溶解し、１Ｍの酢酸ナトリウム緩衝液（ｐＨ５.８）０.１３ｍＬ及びＤＭＦ２ｍＬを添加した。反応混合物を１２℃に冷却し、トリプシン０.０９４ｍＬ（０.０７５ｍｇ、Roche Diagnostics）を添加することによって開始した。
８時間後、ＴＦＡをｐＨ２.５まで添加することによって反応を停止させ、ＨＰＬＣによって分析した。Ａｒｇ（Ｂ３１）、Ｌｙｓ（Ｂ３２）−ＮＨ2、Ｇｌｙ（Ａ２１）ヒトインスリンを生成させ、米国特許第５,６５６,７２２号と同様に、トリプシン阻害剤溶液の添加後に精製した。次に、酸の存在下で、アミド化されたインスリン類似体を数時間加水分解し、Ａｒｇ（Ｂ３１）、Ｌｙｓ（Ｂ３２）、Ｇｌｙ（Ａ２１）ヒトインスリンを得た。
【手続補正３】
【補正対象書類名】明細書
【補正対象項目名】００６６
【補正方法】変更
【補正の内容】
【００６６】
次に、実施例１２と同様に、ヒルジン融合部分が、位置３においてＮ末端で開始する６個のヒスチジンによって伸長され、及び配列ＤＤＤＤＫ（配列番号１４）によって位置７２からＣ末端で伸長された融合タンパク質をコードするベクターｐＡＤＨ２＿ＬＴ＿Ｈ６＿Ｈｉｒ＿ｅｎｔｅｒｏ＿ｉｎｓ＿ｇｌｙＡ２１を構築した。
【手続補正４】
【補正対象書類名】明細書
【補正対象項目名】００７５
【補正方法】変更
【補正の内容】
【００７５】
実施例１８：アルギニンアミドとのカップリングによるＢ（１〜２９）−Ａ（１〜２１）スプリットインスリン前駆体からのＡｒｇ（Ｂ３０）−インスリンの調製
Ｂ（１〜２９）−Ａ（１〜２１）スプリットインスリン１００ｍｇをアルギニンアミド溶液０.９５ｍＬ（４４６ｇ／Ｌ）に溶解し、１Ｍの酢酸ナトリウム緩衝液（ｐＨ５.８）０.１３ｍＬ及びＤＭＦ２ｍＬを添加した。反応混合物を１２℃に冷却し、トリプシン０.０９４ｍＬ（０.０７５ｍｇ、Roche Diagnostics）を添加することによって開始した。
【手続補正５】
【補正対象書類名】明細書
【補正対象項目名】００７７
【補正方法】変更
【補正の内容】
【００７７】
実施例１９：リシンアミドとのカップリングによるＢ（１〜２９）−Ａ（１〜２１）スプリットインスリン前駆体からのＬｙｓ（Ｂ３０）−インスリンの調製
Ｂ（１〜２９）−Ａ（１〜２１）スプリットインスリン１００ｍｇをリシンアミド溶液０.９３ｍＬ（４００ｇ／Ｌ）中に溶解し、１Ｍの酢酸ナトリウム緩衝液（ｐＨ５.８）０.１３ｍＬ及びＤＭＦ２ｍＬを添加した。反応混合物を１２℃に冷却し、トリプシン０.０９４ｍＬ（０.０７５ｍｇ、Roche Diagnostics）を添加することによって出発した。８時間後、ＴＦＡをｐＨ２.５まで添加することによって反応を停止させ、ＨＰＬＣによって分析した。Ｌｙｓ（Ｂ３０）−インスリンアミドが生成し、米国特許第５,６５６,７２２号と同様に、トリプシン阻害剤溶液の添加後に精製した。次に、アミド化されたインスリンを酸の存在下で数時間加水分解してＬｙｓ（Ｂ３０）−インスリンを得るか、又は薬剤として直接使用することが可能であった。